(57)【要約】      （修正有）【課題】副収納部に使用後の折り畳み傘等の雨具を再収納した場合であったとしても、副収納部の内部に水滴等の液体が長時間滞留することなく、副収納部の内部からかばんの外部へ水滴等の液体が排出され、かばんの主収納部に収納した書類やノートパソコン等が濡れないかばんを提供する。【解決手段】かばん１は、持ち手部８と、主収納部１０と、かばんの底面部４寄りに装備する所定の副収納部２０と、持ち手部８を把持した際に地上に向く方向に装着され副収納部２０の内部に滞留する水滴等の液体を排出する流体排出機構３０等とを備える。流体排出機構３０は、副収納部２０の内部から外部へと貫通する排出口と排出口の周囲を被覆及び補強し、持ち手部８を把持した際に地上に向く方向に突出する厚みを有する補強具とを備える。【選択図】図１
0003202266.tif 000002
【実用新案登録請求の範囲】
【請求項１】
かばんの内部に主収納部を、前面又は後面に副収納部を、上部に持ち手部を装備したかばんであって、
前記副収納部の内部から外部へと貫通する排出口と、前記排出口の周囲を被覆及び補強する補強具とで構成する流体排出機構を少なくとも装備し、
前記流体排出機構を、持ち手部を把持した際に地上に向く方向に装着したかばん。
【請求項２】
前記流体排出機構を前記副収納部の幅方向中央部付近に１又は複数装着した請求項１のかばん。
【請求項３】
前記流体排出機構を前記副収納部の幅方向に２以上、等間隔で装着した請求項１のかばん。
【請求項４】
前記補強具が、持ち手部を把持した際に地上に向く方向に突出する厚みを有している請求項１から請求項３いずれかに記載したかばん。
【請求項５】
前記排出口を円形孔とし、かつ、前記補強具を円形の補強具とした請求項１から請求項４いずれかに記載したかばん。
【請求項６】
前記補強具を直径１０ミリメートルの金属製補強具とした請求項５のかばん。
【考案の詳細な説明】
【技術分野】
【０００１】
本願考案は、水滴が付着した使用後の折り畳み傘等の雨具を副収納部に再収納した場合であったとしても、当該雨具に付着した水滴等の液体を副収納部の内部からかばんの外部（地上）へ排出する流体排出機構を装備したかばんに関するものである。
【背景技術】
【０００２】
外出先で突然雨が降り出した場合を想定して折り畳み傘をかばんのいずれかの箇所に備えておくことがある。折り畳み傘を収納するための副収納部を装備したビジネスバッグも現実に存在する（例えば、特許文献１及び特許文献２）。
【先行技術文献】
【特許文献】
【０００３】
【特許文献１】実用新案登録第３１６６９５７号公報
【特許文献２】実開平４−４５４２１号公報
【考案の概要】
【考案が解決しようとする課題】
【０００４】
上述したごとく、副収納部を装備したビジネスバッグの副収納部に折り畳み傘を収納している場合には、外出先で突然雨が降り出したとしても副収納部からすぐに折り畳み傘を取り出してさすことができるため、人は濡れずに済み便利である。
【０００５】
しかし、その後雨が止みあるいは傘をさす必要がない乗り物や施設に立ち入る際には、副収納部に使用後の折り畳み傘を再収納することになるが、その際に当該折り畳み傘に付着した水滴等の液体がかばんの主収納部にまで侵入し主収納部に収納した書類やノートパソコン等が濡れてしまうことがある。
【０００６】
また、前記使用後の折り畳み傘に付着し残留した水気又は湿気等の気体においてはかばんの主収納部にまでは浸入しない程度の量であったとしても、前記副収納部及び主収納部に継続して滞留し続けるとカビを生じさせる原因になり得る。
【０００７】
そこで、副収納部に使用後の折り畳み傘等の雨具を再収納した場合であったとしても、前記副収納部の内部に水滴等の液体が長時間滞留することなく、前記副収納部の内部からかばんの外部（地上）へ水滴等の液体が排出されるかばんを提供することを課題とした。
【課題を解決するための手段】
【０００８】
本願考案は上記の課題を解決するために、かばんの内部に主収納部を、前面又は後面に副収納部を、上部に持ち手部を装備したかばんであって、前記副収納部の内部から外部へと貫通する排出口と、前記排出口の周囲を被覆及び補強する補強具とで構成する流体排出機構を少なくとも装備し、前記流体排出機構を、持ち手部を把持した際に地上に向く方向に装着したかばんを提供する。
【０００９】
また、本願考案は上記の課題を解決するために、かばんの内部に主収納部を、前面又は後面に副収納部を、上部に持ち手部を装備したかばんであって、前記副収納部の内部から外部へと貫通する排出口と、前記排出口の周囲を被覆及び補強する補強具とで構成する流体排出機構を少なくとも装備し、前記流体排出機構を、持ち手部を把持した際に地上に向く方向に、かつ、前記副収納部の幅方向中央部付近に１又は複数装着したかばんを提供する。
【００１０】
また、本願考案は上記の課題を解決するために、かばんの内部に主収納部を、前面又は後面に副収納部を、上部に持ち手部を装備したかばんであって、前記副収納部の内部から外部へと貫通する排出口と、前記排出口の周囲を被覆及び補強する補強具とで構成する流体排出機構を少なくとも装備し、前記流体排出機構を、持ち手部を把持した際に地上に向く方向に、かつ、前記副収納部の幅方向に２以上、等間隔で装着したかばんを提供する。
【００１１】
また、本願考案は上記の課題を解決するために、かばんの内部に主収納部を、前面又は後面に副収納部を、上部に持ち手部を装備したかばんであって、前記副収納部の内部から外部へと貫通する排出口と、前記排出口の周囲を被覆及び補強する補強具とで構成する流体排出機構を少なくとも装備し、前記流体排出機構を、持ち手部を把持した際に地上に向く方向に、かつ、前記副収納部の幅方向中央部付近に１又は複数装着し、さらに前記補強具が持ち手部を把持した際に地上に向く方向に突出する厚みを有しているかばんを提供する。
【００１２】
また、本願考案は上記の課題を解決するために、かばんの内部に主収納部を、前面又は後面に副収納部を、上部に持ち手部を装備したかばんであって、前記副収納部の内部から外部へと貫通する排出口（円形孔）と、前記排出口の周囲を被覆及び補強する円形の補強具とで構成する流体排出機構を少なくとも装備し、前記流体排出機構を、持ち手部を把持した際に地上に向く方向に、かつ、前記副収納部の幅方向中央部付近に１又は複数装着し、さらに前記補強具が持ち手部を把持した際に地上に向く方向に突出する厚みを有しているかばんを提供する。
【００１３】
また、本願考案は上記の課題を解決するために、かばんの内部に主収納部を、前面又は後面に副収納部を、上部に持ち手部を装備したかばんであって、前記副収納部の内部から外部へと貫通する排出口（円形孔）と、前記排出口の周囲を被覆及び補強する直径１０ミリメートルの円形の金属製補強具とで構成する流体排出機構を少なくとも装備し、前記流体排出機構を、持ち手部を把持した際に地上に向く方向に、かつ、前記副収納部の幅方向中央部付近に１又は複数装着し、さらに前記補強具が持ち手部を把持した際に地上に向く方向に突出する厚みを有しているかばんを提供する。
【考案の効果】
【００１４】
本願考案のかばんは、前記副収納部の内部から外部へと貫通する排出口と、前記排出口の周囲を被覆及び補強する補強具とで構成する流体排出機構を少なくとも装備し、前記流体排出機構を、持ち手部を把持した際に地上に向く方向に装着したため、前記副収納部に使用後の折り畳み傘を再収納した場合であったとしても前記折り畳み傘に付着した水滴等の液体を副収納部の内部からかばんの外部（地上）へ排出することができる。また、前記流体排出機構は、使用後の折り畳み傘に付着し残留した水気又は湿気等の気体をかばんの外部に放出することもできる。
【００１５】
また、本願考案のかばんは、前記流体排出機構を前記副収納部の幅方向中央部付近に装着したため、前記副収納部に使用後の折り畳み傘を再収納した後に当該かばんの持ち手部を把持した際に、より多くの水分又は水滴等の液体を排出することができる。
【００１６】
また、本願考案のかばんは、前記流体排出機構を前記副収納部の幅方向に２以上、等間隔で装着したため、前記副収納部に使用後の折り畳み傘を再収納する場合における当該折り畳み傘を収納する位置や当該折り畳み傘の大きさにかかわらず、均等に水滴等の液体を排出することができる。また、均等に水気又は湿気等の気体を放出することもできる。
【００１７】
また、本願考案のかばんは、さらに前記補強具が、持ち手部を把持した際に地上に向く方向に突出する厚みを有しているため、仮にかばんを地上に載置した場合であったとしても、排出口がふさがり水滴等の液体の排出及び水気又は湿気等の気体の放出を完全に止めてしまうことがない。
【００１８】
また、本願考案のかばんは、前記排出口を円形孔とし、かつ、前記補強具を円形（直径１０ミリメートル等）の補強具（金属製等）としたため、汎用品又は市販品のアイレットを利用することが可能で製造が容易となる。
【図面の簡単な説明】
【００１９】
【図１】図１は実施例１のかばんの全体構成を示す斜視図である。
【図２】図２は流体排出機構の構成及び装着位置を示す拡大図である。
【図３】図３は流体排出機構の装着位置の変更例を示す拡大図である。
【図４】図４は副収納部に水滴等の液体が付着した使用後の折り畳み傘を再収納する様子を示すイメージ図である。
【図５】図５は流体排出機構から水滴等の液体が排出する様子を示すイメージ図である。
【考案を実施するための形態】
【００２０】
例えば、手提げビジネス用のかばんとして実施をする。
【実施例１】
【００２１】
まずは、手提げビジネスかばんの構成について、図１から図３に従い説明する。
【００２２】
手提げビジネスかばん（１）は、前胴（２）と、後胴（３）と、底面部（４）と、前記前胴と前記後胴との間に挟まれた上面又は側面構成部（５）と、対応する各々の前記側面構成部どうしを接合し当該かばんの上面から側面にかけて装備するスライドファスナ（６）と、前記スライドファスナ上を移動するスライダ（７）と、前記スライドファスナ及び前記スライダによって開口した際の内部空間である主収納部（１０）と、当該かばんの前面の底面部寄りに装備した副収納部（２０）と、前記副収納部の所定箇所に装着し、前記副収納部の内部に滞留する水滴等の液体を排出する流体排出機構（３０）と、当該かばんの上部に装備した１対の持ち手部（８）と、で構成する（図１）。
【００２３】
前記持ち手部（８）とは、人がかばん持つ際あるいはかばんを持って移動する際に手で把持又は保持する部分（手提げ部、握持部、取手部など）のことをいう。
【００２４】
なお、本実施例では、副収納部（２０）をかばんの前面の底部寄りに装備しているが、かばんの後面の底面寄りに装備することも許容し得るものとする。
【００２５】
前記副収納部（２０）の側面（前記持ち手部（８）を把持した際に垂直面となる面）には、前記副収納部を構成するスライドファスナ（２１）及び前記スライドファスナ上を移動するスライダ（２２）を装備している（図１）。
【００２６】
前記副収納部（２０）の内部は、前記主収納部（１０）への液体又は気体の浸入を妨げるため防水性のシートである流体浸入防止体（２３）で構成している（図１）。
【００２７】
前記流体排出機構（３０）は、前記副収納部（２０）の内部から外部へ貫通する円形孔である排出口（３１）と、前記排出口の周囲を被覆及び補強する直径１０ミリメートルの円形の金属製アイレット（３２）とで構成し、前記持ち手部（８）を把持した際に地上に向く方向に装着している（図２）。
【００２８】
前記流体排出機構（３０）を装着する位置及び個数について、前記副収納部（２０）の幅方向中央部付近に２個、前記アイレット（３２）２個分から３個分程度の間隔を開けて装着しているが、幅方向中央部に１個のみを装着（図示せず）しても良い。
【００２９】
また、収納する折り畳み傘等の雨具の位置や折り畳み傘の大きさにも考慮すると、前記副収納部（２０）の幅方向に２個以上（図３では４個）、等間隔で装着することにより、液体が均等に排出され又は気体が均等に放出されるため、このような位置及び個数も好ましい（図２及び図３）。
【００３０】
前記アイレット（３２）について、前記持ち手部（８）を把持した際に地上に向く方向及び持ち手部に向く方向にそれぞれ突出する数ミリ程度の厚みを有している。
【００３１】
次に、手提げ用ビジネスかばんの使用動作について図４及び図５に従い説明する。
【００３２】
雨が止んだ後等に水滴等の液体が付着した使用後の折り畳み傘（２４）を折り畳む。また、副収納部（２０）上のスライダ（２２）を開口方向（図４で示す右方向）に移動し前記副収納部を開口する（図４）。
【００３３】
開口した前記副収納部（２０）に前記折り畳み傘（２４）を再収納した後、前記スライダ（２２）を閉口方向（図５で示す左方向）移動し前記副収納部を閉口する（図５）。
【００３４】
持ち手部（８）を把持した人が当該かばんを持って移動すると、前記折り畳み傘（２４）に付着した水滴等の液体は、前記副収納部（２０）の内部の底面に移動及び滞留し、その後、流体排出機構（３０）から自然落下することにより、かばん（前記副収納部）の外部に排出される（図５）。
【００３５】
また、前記水滴等の液体にはならない程度の量の水気又は湿気等の気体についても、いずれ前記流体排出機構（３０）から放出されるものと考える。
【００３６】
なお、前記副収納部（２０）の内部を流体浸入防止体（２３）で構成しているため、前記液体又は前記気体が前記副収納部の内部から主収納部（１０）へ浸入することは妨げられる（防止される）。
【００３７】
なお、前記副収納部（２０）に、折り畳み傘以外の雨具（例えば、かばん自身を雨や雪から遮断するかばん専用カバー等）を収納又は再収納することも当然に許容し得る。
【産業上の利用可能性】
【００３８】
本願考案のかばんは、折り畳み傘等の雨具を収納する副収納部に流体排出機構を装着し水滴等の液体の排出性能を飛躍的に向上させた、優れたかばんであるから、産業上の利用可能性を有する。
【符号の説明】
【００３９】
１          手提げかばん
２          前胴
３          後胴
４          底面部
５          上面又は側面構成部
６          スライドファスナ
７          スライダ
８          持ち手部
１０        主収納部
２０        副収納部
２１        スライドファスナ
２２        スライダ
２３        流体浸入防止体（防水性のシート）
２４        折り畳み傘（雨具）
３０        流体排出機構
３１        排出口
３２        アイレット（補強具）
【図１】
0003202266.tif 000003
【図２】
0003202266.tif 000004
【図３】
0003202266.tif 000005
【図４】
0003202266.tif 000006
【図５】
0003202266.tif 000007